(57)【特許請求の範囲】
【請求項１】
特定機能が起動した場合に、第１の時間幅で充電を中止する手段と、
前記第１の時間幅の経過後に第２の時間幅で充電する手段と、
周辺温度を検出する周囲温度検出部と、
前記周囲温度検出部によって検出された周辺温度別、および前記特定機能別に設定された前記第１の時間幅と前記第２の時間幅とを予め登録した記憶部と、を備え、
前記第１の時間幅と前記第２の時間幅とを繰り返すことで間欠充電を行う、ことを特徴とする携帯端末。
【請求項２】
前記周囲温度検出部によって検出された周辺温度が所定温度より高い場合、前記第２の時間幅は、前記特定機能が起動されている場合、検出された周辺温度が所定温度より低い場合の前記第２の時間幅より小さく設定されていることを特徴とする請求項１に記載の携帯端末。
【請求項３】
前記周囲温度検出部によって検出された周辺温度が所定温度より高い場合、前記第１の時間幅は、前記特定機能が起動されている場合、検出された周辺温度が所定温度より低い場合の前記第１の時間幅より大きく設定されていることを特徴とする請求項１に記載の携帯端末。
【請求項４】
前記特定機能が停止した場合、間欠充電から常時充電に切り替える手段を有する請求項１乃至３のいずれかに記載の携帯端末。
【請求項５】
前記第１の時間幅を計測する第１のタイマと、
前記第２の時間幅を計測する第２のタイマと、を有する事を特徴とする請求項４に記載の携帯端末。
【請求項６】
特定機能が起動した場合に、第１の時間幅で充電を中止し、
前記第１の時間幅の経過後に第２の時間幅で充電し、
周辺温度を検出し、
前記検出された周辺温度別、および前記特定機能別に設定された前記第１の時間幅と前記第２の時間幅とを予め登録し、前記第１の時間幅と前記第２の時間幅とを繰り返すことで間欠充電を行う、ことを特徴とする携帯端末の充電制御方法。
【請求項７】
前記検出された周辺温度が所定温度より高い場合、前記第２の時間幅は、前記特定機能が起動されている場合、検出された周辺温度が所定温度より低い場合の前記第２の時間幅より小さく設定されていることを特徴とする請求項６に記載の携帯端末の充電制御方法。
【請求項８】
前記検出された周辺温度が所定温度より高い場合、前記第１の時間幅は、前記特定機能が起動されている場合、検出された周温度が所定温度より低い場合の前記第１の時間幅より大きく設定されていることを特徴とする請求項６に記載の携帯端末の充電制御方法。
【請求項９】
前記特定機能が停止した場合、間欠充電から常時充電に切り替えることを特徴とする請求項６乃至８のいずれかに記載の携帯端末の充電制御方法。
【請求項１０】
前記第１の時間幅を計測する第１のタイマと、
前記第２の時間幅を計測する第２のタイマと、を有する事を特徴とする請求項９に記載の携帯端末の充電制御方法。
【請求項１１】
特定機能が起動した場合に、第１の時間幅で充電を中止するステップと、
前記第１の時間幅の経過後に、第２の時間幅で充電するステップと、
周辺温度を検出する周囲温度検出ステップと、
前記周囲温度検出ステップによって検出された周辺温度別、および前記特定機能別に設定された前記第１の時間幅と前記第２の時間幅とを予め登録し、前記第１の時間幅と前記第２の時間幅とを繰り返すことで間欠充電を行う、ことをコンピュータに実現させる携帯端末の充電制御プログラム。
【請求項１２】
前記周囲温度検出部によって検出された周辺温度が所定温度より高い場合、前記第２の時間幅は、前記特定機能が起動されている場合、検出された周辺温度が所定温度より低い場合の前記第２の時間幅より小さく設定されているステップをコンピュータに実現させる請求項１１に記載の携帯端末の充電制御プログラム。
【請求項１３】
前記周囲温度検出部によって検出された周辺温度が所定温度より高い場合、前記第１の時間幅は、前記特定機能が起動されている場合、検出された周辺温度が所定温度より低い場合の前記第１の時間幅より大きく設定されているステップをコンピュータに実現させる請求項１１に記載の携帯端末の充電制御プログラム。
【請求項１４】
前記特定機能が停止した場合、間欠充電から常時充電に切り替えるステップをコンピュータに実現させる請求項１１乃至１３のいずれかに記載の携帯端末の充電制御プログラム。
【発明の詳細な説明】
【技術分野】
【０００１】
本発明は、電池充電時の過熱を防止するための携帯端末，携帯端末における充電制御方法およびプログラムに関する。
【背景技術】
【０００２】
充電時における携帯端末の過熱防止に関する関連技術は、例えば、特開２００６−２５４５３９号公報（特許文献１）に開示されている。この特許文献１においては、・充電開始後に、携帯電話機の電池温度を一定時間毎に検出して電池温度上昇速度を算出し、・電池温度上昇速度と設定された閾値を比較し、・電池温度上昇速度が閾値未満の場合はそのまま充電を継続し、・電池温度上昇速度が閾値以上の場合は、使用中の電力使用量の大きい機能（例えば、テレビ電話機能）をユーザから選択された電力使用量の小さい機能（例えば、音声通信機能）に切り替える、ことが記載されている。
【先行技術文献】
【特許文献】
【０００３】
【特許文献１】特開２００６−２５４５３９号公報（段落「００２３」〜「００２４」、「００３３」、図３、図４）
【発明の開示】
【発明が解決しようとする課題】
【０００４】
上述した特許文献１においては、充電時の電池温度上昇を基に機能制限を行っているため、ユーザにとって使用したい機能（電力使用量の大きい機能）を充電時に自由に使用できないという問題がある。
【０００５】
本発明の目的は、以上の課題を解決する携帯端末，携帯端末における充電制御方法およびプログラムを提供することにある。
【課題を解決するための手段】
【０００６】
本発明の第１の携帯端末は、タイマと、充電中に特定機能が起動されているかを確認し起動されていた場合に前記タイマによる所定時間のカウントを開始する手段と、前記タイマのカウント値が所定時間に達したときに特定機能が起動されているかを再確認し起動されていた場合に間欠充電に切り替える手段とを有する。
【０００７】
本発明の第２の携帯端末は、本発明の第１の携帯端末において、間欠充電に切り替わった後に特定機能が起動されているかを定期的に確認する手段と、起動されていた場合は間欠充電を繰り返し、起動されていなかった場合は常時充電に切り替える手段とを、さらに有する。
【０００８】
本発明の第３の携帯端末は、タイマと、充電中に特定機能が起動されているかを確認し起動されていた場合に前記タイマによる第１の設定時間のカウントを開始する手段と、前記タイマのカウント値が第１の設定時間に達したときに特定機能が起動されているかを再確認し起動されていた場合に充電を停止するとともに前記タイマによる第２の設定時間のカウントを開始する手段と、前記タイマのカウント値が第２の設定時間に達したときに充電を再開するとともに前記タイマによる第３の設定時間のカウントを開始する手段と、前記タイマのカウント値が第３の設定時間に達したときに充電を停止するとともに前記タイマによる第２の設定時間のカウントを開始する手段と、以降、第２の設定時間だけ充電を停止した後に第３の設定時間だけ充電を行う間欠充電を充電完了まで繰り返す手段とを有する。
【０００９】
本発明の第４の携帯端末は、タイマと、充電中に特定機能が起動されているかを確認し起動されていた場合に前記タイマによる第１の設定時間のカウントを開始する手段と、前記タイマのカウント値が第１の設定時間に達したときに特定機能が起動されているかを再確認し起動されていた場合に充電を停止するとともに前記タイマによる第２の設定時間のカウントを開始する手段と、前記タイマのカウント値が第２の設定時間に達したときに充電を再開するとともに前記タイマによる第３の設定時間のカウントを開始する手段と、前記タイマのカウント値が第３の設定時間に達したときに特定機能が起動されているかを確認し起動されていなかった場合は間欠充電から常時充電に切り替える手段と、起動されていた場合は充電を停止するとともに前記タイマによる第２の設定時間のカウントを開始する手段と、以降、第２の設定時間だけ充電を停止した後に第３の設定時間だけ充電を行うことを一つの周期とする間欠充電において一つの周期が終了する度に特定機能が起動されているかを確認し、起動されていなかった場合は間欠充電から常時充電に切り替え、起動されていた場合は間欠充電を繰り返す手段とを有する。
【００１０】
本発明の第５の携帯端末は、本発明の第３または第４の携帯端末において、前記第１〜第３の設定時間は特定機能毎に登録されていることを特徴とする。
【００１１】
本発明の第６の携帯端末は、本発明の第３，第４または第５の携帯端末において、周囲温度を検出する周囲温度検出部をさらに備え、前記第１〜第３の設定時間は周囲温度対応に登録され、前記タイマによりカウントを行う場合に前記周囲温度検出部で検出された周囲温度対応の設定時間のカウントを行うことを特徴とする。
【００１２】
本発明の第１の携帯端末における充電制御方法は、充電中に特定機能の起動されている時間が所定時間に達したときに常時充電から間欠充電に切り替え、間欠充電に切り替わった後に特定機能が起動されているかを定期的に確認し、起動されていた場合は間欠充電を繰り返し、起動されていなかった場合は間欠充電から常時充電に切り替えることを特徴とする。
【００１３】
本発明の第２の携帯端末における充電制御方法は、充電中に特定機能が起動されているかを確認し起動されていた場合にタイマによる第１の設定時間のカウントを開始するステップと、前記タイマのカウント値が第１の設定時間に達したときに特定機能が起動されているかを再確認し起動されていた場合に充電を停止するとともに前記タイマによる第２の設定時間のカウントを開始するステップと、前記タイマのカウント値が第２の設定時間に達したときに充電を再開するとともに前記タイマによる第３の設定時間のカウントを開始するステップと、前記タイマのカウント値が第３の設定時間に達したときに特定機能が起動されているかを確認し起動されていなかった場合は間欠充電から常時充電に切り替える
ステップと、起動されていた場合は充電を停止するとともに前記タイマによる第２の設定時間のカウントを開始するステップと、以降、第２の設定時間だけ充電を停止した後に第３の設定時間だけ充電を行うことを一つの周期とする間欠充電において一つの周期が終了する度に特定機能が起動されているかを確認し、起動されていなかった場合は間欠充電から常時充電に切り替え、起動されていた場合は間欠充電を繰り返すステップとを有する。
【００１４】
本発明の第１のプログラムは、充電中に特定機能の起動されている時間が所定時間に達したときに常時充電から間欠充電に切り替える機能、間欠充電に切り替わった後に特定機能が起動されているかを定期的に確認し、起動されていた場合は間欠充電を繰り返し、起動されていなかった場合は間欠充電から常時充電に切り替える機能、をコンピュータに実現させる。
【００１５】
本発明の第２のプログラムは、充電中に特定機能が起動されているかを確認し起動されていた場合にタイマによる第１の設定時間のカウントを開始する機能、前記タイマのカウント値が第１の設定時間に達したときに特定機能が起動されているかを再確認し起動されていた場合に充電を停止するとともに前記タイマによる第２の設定時間のカウントを開始する機能、前記タイマのカウント値が第２の設定時間に達したときに充電を再開するとともに前記タイマによる第３の設定時間のカウントを開始する機能、前記タイマのカウント値が第３の設定時間に達したときに特定機能が起動されているかを確認し起動されていなかった場合は間欠充電から常時充電に切り替える機能、起動されていた場合は充電を停止
するとともに前記タイマによる第２の設定時間のカウントを開始する機能、以降、第２の設定時間だけ充電を停止した後に第３の設定時間だけ充電を行うことを一つの周期とする間欠充電において一つの周期が終了する度に特定機能が起動されているかを確認し、起動されていなかった場合は間欠充電から常時充電に切り替え、起動されていた場合は間欠充電を繰り返す機能、をコンピュータに実現させる。
【発明の効果】
【００１６】
本発明においては、充電中に消費電力の大きい特定機能が所定時間以上使用されている場合、間欠充電に切り替えるようにしている。このため、充電中においても携帯端末を過熱状態にすることなく特定機能を使用し続けることができるという効果が得られる。
【発明を実施するための最良の形態】
【００１７】
本発明の実施例について図面を参照して詳細に説明する。
【００１８】
図１は、本発明の第１の実施例の構成を示す図である。図１を参照すると、本発明の携帯端末１０は、操作部１１と、表示部１２と、タイマ１３と、電池１４と、充電制御部１５と、記憶部１６と、制御部１７とを備えている。
【００１９】
携帯端末１０は、携帯電話機，ＰＨＳ(Personal Handyphone System)，ＰＤＡ(Personal Digital Assistance)，ノート型パーソナルコンピュータ等の携帯情報端末である。操作部１１はテンキー，機能キー，ポインティングデバイス等の入力装置であり、表示部１２はＬＣＤ(Liquid Crystal Display)等の表示装置である。タイマ１３は制御部１７の指示により所定時間の経過監視を行う。電池１４は充電可能な二次電池であり、携帯端末１０の電源として電力を供給する。充電制御部１５は、図示しない充電用ＡＣアダプタが接続されたときに電池１４への充電動作を行う。
【００２０】
記憶部１６は読み出し，書き込み可能な記憶装置であり、特定機能情報，第１の設定時間，第２の設定時間，第３の設定時間の記憶領域を含んでいる。ここで、特定機能情報とは、例えば、テレビ電話機能やゲーム機能等のような電力使用量の大きい機能のことであり、その機能を充電時に使用し続けると携帯端末１０が過熱状態になってしまうような機能である。また、第１の設定時間は、常時充電から間欠充電に切り替えるまでの時間を決定するための特定機能使用時間の閾値であり、充電時に特定機能がこの第１の設定時間以上使用されていた場合に充電を常時充電から間欠充電に切り替える。第２の設定時間は間欠充電における充電停止時間であり、第３の設定時間は間欠充電における充電時間である。なお、特定機能情報，第１の設定時間，第２の設定時間，第３の設定時間については、携帯端末事業者等が予め記憶部１６に登録しておくものとする。詳細には、特定機能情報については、充電時に使い続けると携帯端末１０が過熱するおそれがある機能を登録する。また、第１の設定時間，第２の設定時間，第３の設定時間については、充電時に特定機能を使用した場合に、携帯端末１０が過熱状態にならないよう維持できる時間を携帯端末事業者等が実験等で確認した上で登録するものとする。
【００２１】
制御部１７は、ＣＰＵ(Central Processing Unit)等の制御装置であり、プログラムにより動作を制御される。この制御部１７は、・充電中に特定機能が起動されているかを確認する機能と、・充電中に特定機能が起動されていた場合、タイマ１３に第１の設定時間のカウントを指示する機能と、・第１の設定時間経過後に特定機能が起動されているかを再確認する機能と、・第１の設定時間経過後に特定機能が起動されていなかった場合は、そのまま充電を継続させる機能と、・第１の設定時間経過後に特定機能が起動されていた場合は、間欠充電（第２の設定時間だけ充電を停止した後、第３の設定時間だけ充電する、の繰り返し）に切り替える機能と、を備えている。
【００２２】
次に、本発明の第１の実施例の動作について図１〜図３を参照して説明する。なお、図２は本発明の第１の実施例の動作を示すフローチャートであり、図３は本発明の第１の実施例における間欠充電のタイムチャートである。
【００２３】
ユーザは充電するために図示しない充電用ＡＣアダプタを携帯端末１０に接続すると、図示しないＡＣアダプタ検出回路がＡＣアダプタの接続を検出して制御部１７に通知する。ＡＣアダプタの接続を通知された制御部１７は充電制御部１５に対して充電を指示し、充電制御部１５は電池１４を充電する。なお、充電の開始，停止制御の詳細については特開２００７−１０４２２７号公報に記載されているように公知であり、その詳細を述べることが本発明の主旨でもないため、これ以上の説明は省略する。
【００２４】
図２を参照すると、制御部１７は携帯端末１０が充電中か否かを定期的に確認し（ステップＡ１）、充電中であった場合は、記憶部１６に登録されている特定機能が起動されているかを確認する（ステップＡ２）。特定機能が起動されていた場合は、制御部１７は記憶部１６から読み出した第１の設定時間をタイマ１３に設定し時間のカウント開始を指示する。タイマ１３は設定された第１の設定時間のカウントを開始する（ステップＡ３）。このとき、タイマ１３はカウントダウン方式，カウントアップ方式のいずれでもよく、例えば、カウントダウン方式を例にとると、タイマ１３はカウント値がゼロになった時点（第１の設定時間のカウント終了）で制御部１７にカウント終了を通知する。制御部１７は、第１の設定時間のカウント終了通知を受信するまでは充電制御部１５に充電を継続させ（ステップＡ４→ステップＡ５）、カウント終了通知を受信した時点で特定機能がまだ起動されているかを確認する（ステップＡ６）。
【００２５】
ステップＡ６において、特定機能が起動されていなかった場合（第１の設定時間のカウント中に終了していた場合）は、制御部１７は充電制御部１５に充電を継続させる（ステップＡ６→ステップＡ５）。ステップＡ６において、特定機能がまだ起動されていた場合は、制御部１７は充電制御部１５に充電停止を指示し、充電制御部１５は電池１４への充電を停止する。そして、制御部１７は記憶部１６から読み出した第２の設定時間をタイマ１３に設定し時間のカウント開始を指示する。タイマ１３は設定された第２の設定時間のカウントを開始する（ステップＡ７）。
【００２６】
タイマ１３は第２の設定時間のカウントを終了すると制御部１７にその旨を通知する。制御部１７は第２の設定時間のカウント終了時に充電制御部１５に充電の再開を指示し、充電制御部１５は電池１４への充電を再開する。そして、制御部１７は記憶部１６から読み出した第３の設定時間をタイマ１３に設定し時間のカウント開始を指示する。タイマ１３は設定された第３の設定時間のカウントを開始する（ステップＡ８，Ａ９）。その後、タイマ１３は第３の設定時間のカウントを終了すると制御部１７にその旨を通知する。制御部１７は第３の設定時間のカウント終了通知を受けると、ステップＡ７に戻り、充電の停止，再開の間欠充電動作を繰り返す（ステップＡ１０→ステップＡ７）。
【００２７】
次に、間欠充電のタイムチャートについて説明する。
【００２８】
図３を参照すると、充電中に特定機能が起動されている場合に第１の設定時間のカウントを開始する（図中のＡの時点）。第１の設定時間のカウントが終了した時点で特定機能がまだ起動されていた場合、第２の設定時間のカウントを開始する（図中のＢの時点）。第２の設定時間のカウントが終了すると、第３の設定時間のカウントを開始する（図中のＣの時点）。第３の設定時間のカウントが終了すると、第２の設定時間のカウントを開始し（図中のＤの時点）、以降、第２，第３の設定時間を交互にカウントすることを繰り返す。そして、第２の設定時間のカウント開始時には充電を停止し、第３の設定時間のカウント開始時には充電を再開するよう制御することにより、間欠充電が繰り返されることに
なる。
【００２９】
以上説明したように、本実施の形態においては、充電中に消費電力の大きい特定機能が第１の設定時間以上使用されている場合、間欠充電に切り替えるようにしている。このため、充電中においても携帯端末１０を過熱状態にすることなく特定機能を使用し続けることができるという効果が得られる。
【００３０】
次に、本発明の第２の実施例について説明する。
【００３１】
上述した第１の実施例においては、第１〜第３の設定時間は登録された特定機能に共通に用いられるとして説明したが、本実施例においては、機能毎に第１〜第３の設定時間を変更するようにした点が異なる。図４（本発明の第２の実施例における特定機能別設定時間を示す図）に示すように、特定機能別に第１〜第３の設定時間が記憶部１６に登録されている。これら第１〜第３の設定時間は、各機能の消費電力（発熱量）に基づいて決定されたものであり、予め携帯端末事業者等により記憶部１６に登録される。本実施例の動作については、図２（第１の実施例の動作）のステップＡ３，Ａ６，Ａ８において第１，第２，第３の設定時間をそれぞれ設定するときに、使用中の特定機能に対応した設定時間を記憶部１６から抽出して設定する点が第１の実施例と異なる。
【００３２】
以上説明したように、本実施例においては、特定機能別に第１〜第３の設定時間を変更するようにしたため、第１の実施例に比べ、効率の良い充電が可能になるという効果が得られる。詳細には、第１の実施例では消費電力が最大の特定機能を想定して設定時間を決定するが、本実施例では実際に使用している特定機能対応の設定時間を用いるようにしている。これにより、常時充電から間欠充電に切り替えるまでの時間（第１の設定時間）を第１の実施例に比べ長くできるとともに、間欠充電における充電時間の比率を大きくできる結果、第１の実施例に比べ、充電時間の短縮が可能になる。
【００３３】
次に、本発明の第３の実施例について説明する。
【００３４】
上述した第１の実施例においては、特定機能が第１の設定時間以上起動されている場合に充電完了まで間欠充電を行なうのに対し、本実施例は、間欠充電中に特定機能が終了した場合は間欠充電から通常充電（常時充電）に切り替えることを特徴としている。本実施例の構成は第１の実施例の構成（図１）と同じである。
【００３５】
次に、本実施例の動作について図１，図２および図５を参照して説明する。なお、図５は本発明の第３の実施例の動作を示すフローチャートである。
【００３６】
図５を参照すると、ステップＢ１〜ステップＢ１０の動作については、図２（第１の実施例）のステップＡ１〜ステップＡ１０の動作と同じである。本実施例の動作が第１の実施例の動作と異なる点は、ステップＢ１０（図２のステップＡ１０）からステップＢ６（図２のステップＡ６）に戻る点にある。第１の実施例においては、ステップＡ１０（図５のステップＢ１０）からステップＡ７（図５のステップＢ７）に戻っている。すなわち、第１の実施例においては、間欠充電動作（ステップＡ７〜ステップＡ１０）を充電完了まで繰り返すようにしている。これに対し、本実施例においては、ステップＢ７〜ステップＢ１０における間欠充電動作の一つの周期が終了する度に、ステップＢ６に戻り、特定機能がまだ起動されているかを確認するようにしている。そして、起動されていなければ常時充電に切り替え、起動されていれば間欠充電（ステップＢ７〜ステップＢ１０）を繰り返すようにしている。
【００３７】
以上説明したように、本実施例においては、間欠充電中にも特定機能が起動されているかを確認し、起動されていなかった場合は間欠充電から常時充電に切り替えるようにしたため、第１の実施例に比べ効率的な充電が行えるという効果が得られる。
【００３８】
次に、本発明の第４の実施例について説明する。
【００３９】
第１または第２の実施例においては、第１〜第３の設定時間を周囲温度に関係なく設定しているが、本実施例においては、周囲温度に応じて第１〜第３の設定時間を変更した点を特徴としている。
【００４０】
図６は本発明の第４の実施例の構成を示す図であり、本実施例の携帯端末１０Ａは周囲温度を検出する周囲温度検出部１８を備えている。その他の構成要素については第１〜第３の実施例と同じである。また、図７（本発明の第４の実施例における周囲温度別設定時間情報を示す図）に示すように、周囲温度に対応した第１〜第３の設定時間が記憶部１６に予め登録されている。なお、図７は、第１の実施例を想定しているため特定機能別の設定時間になっていないが、第２の実施例に適用する場合は、特定機能別，周囲温度別に第１〜第３の設定時間が記憶部１６に予め登録される。また携帯端末１０Ａ自体の温度は周囲温度の影響を強く受けるため、周囲温度が高い場合の第１の設定時間は、周囲温度が低い場合に比べ小さな値となる。さらに第２の設定時間，第３の設定時間についても周囲温度が高い場合は低い場合に比べ、それぞれ大きな値（第２の設定時間），小さな値（第３の設定時間）となる。
【００４１】
本実施例の動作に関しては、図２を参照して説明すると、ステップＡ３，ステップＡ７，ステップＡ９において第１〜第３の設定時間をタイマ１３に設定するときに、制御部１７は周囲温度検出部１８から周囲温度を取得する。そして、制御部１７は周囲温度に対応して登録されている第１〜第３の設定時間を記憶部１６から取得してタイマ１３に設定する。その他の動作については、図２（第１の実施例の動作）と同じである。
【００４２】
以上説明したように、本実施例においては、第１〜第３の設定時間を周囲温度に応じて変更しているため、第１〜第３の実施例に比べ、より精度の高い過熱防止が実現できるという効果が得られる。
【００４３】
次に、本発明の応用例，変形例等について説明する。
【００４４】
・上述した第１〜第４の実施例においては、一つのタイマ１３で第１〜第３の設定時間をカウントするとして説明したが、複数のタイマ１３を用いるようにしてもよい。例えば、第１〜第３の設定時間のそれぞれに対応したタイマ１３を設けるようにしてもよいし、第１，第３の設定時間をカウントするタイマ１３と第２の設定時間をカウントするタイマ１３とを設けるようにしてもよい。
【００４５】
・上述した第４の実施例においては、図７に示すように、周囲温度を高温（所定温度以上），低温（所定温度未満）の２種類に分けているが、２種類に限定されず、３種類以上に分けるようにしてもよい。
【図面の簡単な説明】
【００４６】
【図１】本発明の第１の実施例の構成を示す図である。
【図２】本発明の第１の実施例の動作を示すフローチャートである。
【図３】本発明の第１の実施例における間欠充電のタイムチャートである。
【図４】本発明の第２の実施例における特定機能別設定時間を示す図である。
【図５】本発明の第３の実施例の動作を示すフローチャートである。
【図６】本発明の第４の実施例の構成を示す図である。
【図７】本発明の第４の実施例における周囲温度別設定時間情報を示す図である。
【符号の説明】
【００４７】
１０，１０Ａ    携帯端末
１１    操作部
１２    表示部
１３    タイマ
１４    電池
１５    充電制御部
１６    記憶部
１７    制御部
１８    周囲温度検出部
【図１】
0005472255.tif 000002
【図２】
0005472255.tif 000003
【図３】
0005472255.tif 000004
【図４】
0005472255.tif 000005
【図５】
0005472255.tif 000006
【図６】
0005472255.tif 000007
【図７】
0005472255.tif 000008